(57)【要約】【課題】ストロボ発光部がアップダウンする際のリード線の配置スペースと、各リード線が接続する制御回路基板上の信号同士の沿面距離を確保することは非常に困難である。また、リード線の組立作業は時間がかかる上、リード線の被覆はがれや挟み込み等に注意した組み立て作業を要する。さらにストロボ発光部のアップダウン動作に追従してリード線が屈曲を繰り返す。その為にリード線は実使用に耐えうる屈曲の耐久性が必要不可欠である。【解決手段】カメラに内蔵するストロボ装置において、前記ストロボ装置の発光部を収納位置から突出位置まで直進移動可能にするポップアップ機構と発光のため電荷を蓄えるコンデンサー及び回路基板を一体にしたストロボユニットであって、前記発光部は前記回路基板に対して摺動可能な、導電性材料からなる複数の接点ブラシを有しており、前記ストロボユニットは前記各接点ブラシを隔てる絶縁材からなる壁が前記回路基板を貫通して形成されていることを特徴とする。【選択図】図１（ａ）
2016206361.tif 000002
【特許請求の範囲】
【請求項１】
カメラ（１００）に内蔵するストロボ装置（４００）において、前記ストロボ装置（４００）の発光部（４２５）を収納位置から突出位置（図１（ａ））まで直進移動可能にするポップアップ機構（図１（ｂ））と発光のため電荷を蓄えるコンデンサー（４０３）及び回路基板（５００）を一体にしたストロボユニット（４００）であって、前記発光部（４２５）は前記回路基板（５００）に対して摺動可能な、導電性材料からなる複数の接点ブラシ（４１５〜４１８）を有しており、前記ストロボユニット（４００）は前記各接点ブラシ（４１５〜４１８）を隔てる絶縁材からなる壁（４２８ａ〜４２８ｅ）が前記回路基板（５００）を貫通して形成されていることを特徴とするストロボ装置。
【請求項２】
前記発光部（４２５）が前記突出位置（図１（ａ））にある状態において、前記発光部（４２５）は前記複数の接点ブラシ（４１５〜４１８）を介して前記回路基板（５００）と電気的に接続されており、前記発光部（４２５）が前記収納位置（図１（ａ））にある状態において、前記複数の接点ブラシ（４１５〜４１８）をのうち少なくとも一つは前記回路基板（５００）と電気的に非接触であることを特徴とする請求項１に記載のストロボ装置。
【請求項３】
前記回路基板（５００）は、前記接点ブラシ（４１５〜４１８）と電気的に接続する接点部（５０２ａ〜５０２ｄ）と、前記発光部（４２５）が前記収納位置から前記突出位置（図１（ａ））まで直進移動する際に前記接点ブラシ（４１５〜４１８）が摺動する摺動部（５０１ａ〜５０１ｄ）とが形成されており、前記接点部（５０２ａ〜５０２ｄ）の厚みは前記摺動部（５０１ａ〜５０１ｄ）の厚みよりも大きいことを特徴とする請求項１又は請求項２に記載のストロボ装置。
【請求項４】
前記発光部（４２５）が前記収納位置から前記突出位置（図１（ａ））まで直進移動する際に前記複数の接点ブラシ（４１５〜４１８）が前記接点部（５０２ａ〜５０２ｄ）と電気的に接続するタイミングは各接点ブラシ（４１５〜４１８）で異なることを特徴とする請求項１乃至請求項３の何れか一項に記載のストロボ装置。
【請求項５】
前記発光部（４２５）は閃光を発するキセノン管（４０８）と前記キセノン管（４０８）に高電圧を印加するトリガーコイル（４１０）とを有しており、前記キセノン管（４０８）と前記トリガーコイル（４１０）の陽極端子（４０８ｐ、４１０ｍ）と陰極端子（４０８ｍ、４１０ｍ）にはそれぞれ前記接点ブラシ（４１５〜４１８）が電気的に接続されており、前記キセノン管（４０８）と前記トリガーコイル（４１０）の陰極端子に接続している前記接点ブラシが隣接して配置されており、前記キセノン管（４０８）と前記トリガーコイル（４１０）の陽極端子に接続している前記接点ブラシ（４１５〜４１８）が隣接して配置されていることを特徴とする請求項１乃至請求項４の何れか一項に記載のストロボ装置。
【請求項６】
前記発光部（４２５）が前記収納位置から前記突出位置（図１（ａ））まで直進移動する際に前記複数の接点ブラシ（４１５〜４１８）が前記接点部（５０２ａ〜５０２ｄ）と電気的に接続するタイミングは、前記キセノン管（４０８）と前記トリガーコイル（４１０）の陰極端子に接続している前記接点ブラシ（４１６、４１７）の方が、記キセノン管（４０８）と前記トリガーコイル（４１０）の陽極端子に接続している前記接点ブラシ（４１５、４１８）よりも先に接続することを特徴とする請求項５に記載のストロボ装置。
【請求項７】
前記接点部（５０２ａ〜５０２ｄ）と前記摺動部（５０１ａ〜５０１ｄ）との境界は前記接点部（５０２ａ〜５０２ｄ）よりも柔らかい絶縁材（５０４ａ〜５０４ｄ）で覆われていることを特徴とする請求項１乃至請求項６の何れか一項に記載のストロボ装置。
【請求項８】
請求項１乃至請求項７の何れか一項に記載のストロボ装置を有する撮像装置。
【発明の詳細な説明】
【技術分野】
【０００１】
本発明は、ストロボ内蔵カメラに関し、詳細にはストロボ発光部における電気部品実装構造に関する。
【背景技術】
【０００２】
従来、ストロボ装置を内蔵したデジタルカメラが普及している。一方で電子機器の小型化に対するニーズは衰えず、特にデジタルカメラのように携帯される電子機器における小型化要求は非常に高い。カメラ本体が小型化する一方で、撮影時のズーム倍率が高いカメラのニーズも増えてきている。そのためレンズ外形は大きくなり、撮影時に鏡筒が繰り出す距離も長くなってきている。
【０００３】
前記のようなストロボを内蔵したカメラで撮影を行うと、ストロボから発せられた閃光がレンズ鏡筒に遮られて写真に影が生じる所謂ケラレが問題になることは周知である。また、ストロボ光が瞳孔を通して網膜まで達し、その反射光によって人の目が赤く写る所謂赤目現象の発生も、レンズに入射する被写体光の光軸とストロボから発せられた閃光の光軸とが近いほど顕著に現れることも周知である。そこで、前記のケラレと赤目現象とを防止するためにストロボ発光部が収納待機位置と発光位置との間をアップダウンするように構成しているものがある。この構成によると、ストロボ発光部は通常は収納待機位置にありカメラの小型携帯性に寄与する。ストロボ発光部はストロボ撮影時にのみ撮影光軸からより離れた発光位置に待機することができるので極めて有効な構成である。
【０００４】
特許文献１に示される構成では、ストロボ発光部とカメラ本体内の電気部品との電気的接続をフレキシブル基板による構成としている。
【先行技術文献】
【特許文献】
【０００５】
【特許文献１】特開平８−１８４８８３号公報
【発明の概要】
【発明が解決しようとする課題】
【０００６】
ところで、このような構成における電気部品実装形態はストロボ発光部内にキセノン管とトリガーコイルを実装し、カメラ本体側に制御回路基板を実装する形態が多くとられる。この形態においてストロボ発光部とカメラ本体内の制御回路基板との電気的接続は複数のリード線で行う。リード線はストロボ発光時のアップダウン時に屈曲することで、本体に対し発光部が可動可能となる。
【０００７】
しかしながら、カメラが小型化する中でストロボ発光部がアップダウンする際のリード線の配置スペースと各リード線が接続する制御回路基板上の信号同士の沿面距離を確保することは非常に困難である。また、リード線の組立作業は時間がかかる上、リード線の被覆はがれや挟み込み等に注意した組み立て作業を要する。さらにストロボ発光部のアップダウン動作に追従してリード線が屈曲を繰り返す。その為にリード線は実使用に耐えうる屈曲の耐久性が必要不可欠である。
【０００８】
そこで、本発明は、かかる実情に鑑み、ストロボ発光部とカメラ本体内の電気部品との電気的接続作業を従来よりも容易に行うことができるとともにストロボ内蔵カメラの絶縁信頼性及びアップダウン時の耐久性を向上させることができるストロボ内蔵カメラを提供することを目的とする。
【課題を解決するための手段】
【０００９】
上記の目的を達成するために、本発明は、カメラに内蔵するストロボ装置において、前記ストロボ装置の発光部を収納位置から突出位置まで移動可能にするポップアップ機構と発光のため電荷を蓄えるコンデンサー及び回路基板を一体にしたストロボユニットであって、前記発光部は前記回路基板に対して摺動可能な、導電性材料からなる複数の接点ブラシを有しており、前記ストロボユニットは前記各接点ブラシを隔てる絶縁材からなる壁が前記回路基板を貫通して形成されていることを特徴とする。
【発明の効果】
【００１０】
本発明によれば、ストロボ発光部とカメラ本体内の電気部品との電気的接続作業を従来よりも容易に行うことができるとともにストロボ内蔵カメラの信頼性を向上させることができる。
【図面の簡単な説明】
【００１１】
【図１（ａ）】デジタルカメラの外装カバーが取り外された状態でストロボの発光部が収納位置と発光位置にある場合を示した外観斜視図
【図１（ｂ）】ストロボユニットの展開図
【図２（ａ）】本発明の第１の実施形態であるストロボユニットの斜視図及び正面図
【図２（ｂ）】本発明の第１の実施形態であるストロボユニットのＡ−Ａ断面図およびＢ−Ｂ断面図
【図３（ａ）】本発明の第１の実施形態であるストロボ制御基板の斜視図及び正面図
【図３（ｂ）】本発明の第１の実施形態であるストロボ制御基板のＣ部拡大図およびＤ−Ｄ断面図
【図４】本発明の第１の実施形態であるストロボユニットのポップアップ動作の順番を示した正面図及び要部斜視図であって、（ａ）は発光部が収納位置にある時のストロボユニットの正面図及び要部斜視図、（ｂ）は切片４１６がパット５０２ａに接触した時のストロボユニット正面図及び要部斜視図、（ｃ）は切片４１８がパット５０２ｂに接触した時のストロボユニット正面図及び要部斜視図、（ｄ）は切片４１５がパット５０２ｄに接触した時のストロボユニット正面図及び要部斜視図、（ｅ）は切片４１７がパット５０２ｃに接触した時のストロボユニット正面図及び要部斜視図、（ｆ）は発光部が発光位置にある時のストロボユニットの正面図及び要部斜視図
【図５】本発明のストロボユニットの正面図
【図６（ａ）】本発明のストロボユニットのＣ−Ｃ断面図である。
【図６（ｂ）】本発明のストロボユニットのＣ−Ｃ断面図のＤ部拡大図である。
【発明を実施するための形態】
【００１２】
以下、本発明を実施するための形態を図面に基づいて説明する。
【実施例１】
【００１３】
図１は本発明の第１の実施形態であるデジタルカメラ（電子機器）の外観斜視図およびストロボユニットの展開図である。図１（ａ）はデジタルカメラの外装カバーが取り外された状態でストロボの発光部が収納位置と発光位置にある場合を示した外観斜視図である。
【００１４】
デジタルカメラ本体１００は、正面に沈胴式のレンズ鏡筒２００を備え、上面部には、電源ボタン１０１及びレリーズボタン１０２、ズームレバー１０３といった操作部材が設けられている。デジタルカメラを正面から見てレンズ鏡筒２００の右側には、必要に応じて発光するストロボユニット４００が配置されている。ストロボユニットの側面には発光部４２５のロックを解除しポップアップさせるためのスライドレバー４２３が設けられている。発光部４２５はスライドレバー４２３が移動することで、発光部４２５の係止が解除され、発行可能な位置へ移動する。電源となる電池を挿入するためのバッテリーボックス３００がレンズ鏡筒２００に隣接して配置されている。デジタルカメラ１００の電源をオンにすると、レンズ鏡筒２００が沈胴位置から繰り出し位置（撮影可能位置）に繰り出される。こうしてレンズ鏡筒２００が繰り出されると、発光部４２５を発光位置に上昇させるポップアップ機構によって、発光位置へと突出してカメラ本体１００の外部に露出する。発光部４２５は、手動操作により収容位置へ移動させることができる。
【００１５】
図１（ｂ）はストロボユニット５００の展開図である。
【００１６】
ストロボベース４２１は、ストロボユニット４００の主たる構造体であり、発光部４２５をカメラ本体１００の短手方向において移動自在に支持する。ストロボベース４２１には、ストロボ制御基板５００が固定されている。また、ストロボベース４２１にはストロボホルダー４０２とストロボリヤカバー４２４が取り付けられており、発光部４２５を発光位置に付勢しているバネ４０１、４２２が取り付けられている。ストロボベース４２１に取り付けられたスライドレバー４２３を下方向にスライドさせることにより、発光部４２５を付勢している付勢バネ４０１、４２２の付勢が解放され、発光部４２５は収納位置から発光位置にスライド移動する。
【００１７】
ストロボ撮影（発光撮影）の際に発光する発光部４２５は、前面部材となるストロボフロントケース４０６と背面部材となるストロボリヤケース４２０とによって外観部が構成されている。発光部４２５の内部には、光源であるキセノン管４０８、反射傘４０９、トリガーコイル４１０が装着されている。反射傘４０９とトリガーコイル４１０とはリード線４１９で電気的に接続されており、キセノン管４０８とトリガーコイル４１０はそれぞれの陰極と陽極にリード線４１１〜４１４が装着されている。キセノン管４０８とトリガーコイル４１０に接続されたリード線４１１〜４１４の他方の端には切片４１５〜４１８が半田付けされている。
【００１８】
発光部４２５の前面には光が所望の撮影範囲に照射されるようにするための入射面と射出面とを有するフレネルレンズ４０７が装着されている。
【００１９】
キセノン管４０８を発光させるための電力をキセノン管４０８に供給するメインコンデンサ４０３は、リード線４０４、４０５によってストロボ制御基板５００と電気的に接続されている。
【００２０】
図２は本発明の第１の実施形態であるストロボユニットの発光部の正面図および下面図である。図２（ａ）は発光部４２５のストロボフロントケース４０６を外した正面図である。
【００２１】
各切片４１５〜４１８はストロボリヤケース４２０に形成された収納部４２７ａ〜４２７ｄに収納される。この時隣接する切片同士は沿面距離を確保するために、発光部４２５が移動する方向に対して配置が異なる。
【００２２】
図２（ｂ）は発光部のストロボフロントケースを外した下面図である。
【００２３】
ストロボリヤケース４２０には切片４１５〜４１８同士の沿面距離を確保するための絶縁壁４２８ａ〜４２８ｅが形成されている。各切片４１５〜４１８は絶縁壁４２８ａ〜４２８ｅに囲まれて収納部４２７ａ〜４２７ｄに収納される。この時キセノン管４０８の陰極４０８ｍとトリガーコイル４１０の陰極４１０ｍに接続されている切片４１６と切片４１８同士を隣接させ、キセノン管４０８の陽極４０８ｐとトリガーコイル４１０の陽極４１０ｐに接続されている切片４１５と切片４１７同士を隣接させる。
【００２４】
図３は本発明の第１の実施形態であるストロボ制御基板５００の外観図および要部断面図である。図３（ａ）はストロボ制御基板の正面図及び斜視図である。
【００２５】
ストロボ制御基板５００には回路パターンが絶縁層の開口部に露出したパット５０２ａ〜５０２ｄが形成されている。発光部４２５とストロボ制御基板５００とは、リード線４１１〜４１４に半田付けされた切片４１５〜４１８がパット５０２ａ〜５０２ｄに弾性的に押圧されることによって電気的に接続されている。隣接するパット５０２ａ〜５０２ｄの間にはスリット５０３ａ〜５０３ｄが形成されている。
【００２６】
ストロボ制御基板５００において、発光部４２５が収納位置にあるときに切片４１５〜４１８が接触する箇所５０１ａ〜５０１ｄは接触圧を低減するために回路パターンと絶縁層は形成されていない。この時、ストロボ制御基板５００と切片４１５〜４１８は電気的に接続されていない。発光部４２５が収納位置から発光位置までスライド移動する間では、ストロボ制御基板５００の切片４１５〜４１８が摺動する箇所（摺動部）５０１ａ〜５０１ｄにおいては、収納位置と同様に回路パターン５０２ｂと絶縁層５０４ｂは形成されていない。
【００２７】
そして発光部４２５が発光位置に移動し終わった際に、ストロボ制御基板５００の切片４１５〜４１８が接触する箇所にはパット５０２ａ〜５０２ｄが形成されており、発光部４２５とストロボ制御基板５００は電気的に接触しストロボ撮影可能な状態となる。各切片４１５〜４１８に対応するパット５０２ａ〜５０２ｄはそれぞれ摺動距離に対する長さが異なり、各切片４１５〜４１８がパット５０２ａ〜５０２ｄに電気的に接続するタイミングが異なる。また各パット５０２ａ〜５０２ｄと摺動部５０１ａ〜５０１ｄとの境界には、パット５０２ａ〜５０２ｄよりも柔らかい材料で構成される絶縁層５０４ａ〜５０４ｄが形成されている。例えばパット５０２ａ〜５０２ｄは銅箔であり、絶縁層５０４ａ〜５０４ｄはソルダ―レジスト（フォトレジスト）などである。
【００２８】
図３（ｂ）はストロボ制御基板のＡ部拡大図およびＡ部拡大図のＢ−Ｂ断面図である。
【００２９】
摺動部５０１ｂには回路パターンと絶縁層が形成されておらず基材５０５が露出しているためパット５０２ｂと比較して摺動部５０１ｂの厚みは薄い。そのため、切片５１８が収納位置から発光位置まで摺動する際に、摺動開始時は摺動負荷が軽く、発光部４２５のポップアップ動作を妨げることは無い。また、切片５１８が摺動し、パット５０２ｂと接触する手前にはパット５０２ｂよりも柔らかい材料で構成される絶縁層５０４ｂが形成されている。これにより、収納位置から摺動してきた切片５１８が直接パット５０２ｂと接触して摩耗・破損してしまうのを防ぐことができる。さらにパット５０２ｂは摺動部５０１ｂよりも厚みがあるため、切片５１８の接触圧を確保することができ、発光部４２５とストロボ制御基板５００との電気的接触を良好に保つことができる。
【００３０】
図４は本発明の第１の実施形態であるストロボユニット４００のポップアップ動作の順番を示した正面図及び要部斜視図である。発光部４２５はポップアップする際に収納位置の状態を示した図４（ａ）から発光位置の状態を示した図４（ｆ）まで（ａ）〜（ｆ）の順番に各ポジションを移動する。
【００３１】
図４（ａ）は発光部が収納位置にある時のストロボユニットの正面図及び要部斜視図である。
【００３２】
ストロボユニット４００において発光部４２５は収納位置にあり、切片４１５〜４１８は対応するパット５０２ａ〜５０２ｄとは電気的に接続しておらず、ストロボ発光はしない。
【００３３】
図４（ｂ）は切片４１６がパット５０２ａに接触した時のストロボユニット正面図及び要部斜視図である。
【００３４】
ストロボユニット４００において発光部４２５は収納位置から発光位置に移動する途中であり、切片４１５〜４１８の中でキセノン管４０８の陰極４０８ｍにつながる切片４１６が最初にパット５０２ａと電気的に接続する。
【００３５】
図４（ｃ）は切片４１８がパット５０２ｂに接触した時のストロボユニット正面図及び要部斜視図である。
【００３６】
ストロボユニット４００において発光部４２５は収納位置から発光位置に移動する途中であり、図４（ｂ）の状態よりもさらに発光部４２５が発光位置に近づいた状態である。切片４１６に加えて、トリガーコイル４１０の陰極４１０ｍにつながる切片４１８がパット５０２ｂと電気的に接続する。
【００３７】
図４（ｄ）は切片４１５がパット５０２ｄに接触した時のストロボユニット正面図及び要部斜視図である。
【００３８】
ストロボユニット４００において発光部４２５は収納位置から発光位置に移動する途中であり、図４（ｃ）の状態よりもさらに発光部４２５が発光位置に近づいた状態である。切片４１６、４１８に加えて、キセノン管４０８の陽極４０８ｐにつながる切片４１５がパット５０２ｄと電気的に接続する。
【００３９】
図４（ｅ）は切片４１７がパット５０２ｃに接触した時のストロボユニット正面図及び要部斜視図である。
【００４０】
ストロボユニット４００において発光部４２５は収納位置から発光位置に移動する途中であり、図４（ｄ）の状態よりもさらに発光部４２５が発光位置に近づいた状態である。切片４１５、４１６、４１８に加えて、トリガーコイル４１０の陽極４１０ｐにつながる切片４１７がパット５０２ｃと電気的に接続する。
【００４１】
図４（ｆ）は発光部が発光位置にある時のストロボユニットの正面図及び要部斜視図である。
【００４２】
ストロボユニット４００において発光部４２５は図４（ｅ）の状態よりもさらに移動し発光位置にある状態である。切片４１５〜４１８は対応するパット５０２ａ〜５０２ｄと電気的に接続しており、ストロボ発光可能な状態である。
【００４３】
ストロボ発光部４２５がポップアップする際に、キセノン管４０８の陰極４０８ｍにつながる切片４１６とトリガーコイル４１０の陰極４１０ｍにつながる切片４１８は、陽極４０８ｍ、４１０ｐにつがなる切片４１５、４１７よりも先に、対応するパット５０２ａ、５０２ｂと接続する。これにより、発光部４２５とストロボ制御基板５００との間の電位差を解消してから陽極信号を接続することができる。
【００４４】
図５は本発明のストロボユニットの正面図である。
【００４５】
ストロボユニット４００はスライドレバー４２３を下方向にスライドさせることにより、発光部４２５を片寄しているバネ４０１、４２２の付勢が解放され、発光部４２５が収納位置から発光位置にスライド移動する。
【００４６】
図６は本発明のストロボユニットの断面図である。図６（ａ）はストロボユニットのＣ−Ｃ断面図である。切片４１５〜４１８はストロボリヤケース４２０に固定されている。各切片４１５〜４１８はストロボ制御基板５００に弾性的に押圧される。図６（ｂ）はストロボユニットのＣ−Ｃ断面図のＤ部拡大図である。
【００４７】
ストロボ制御基板５００には隣接するパットとパットとの間にスリット５０３ａ〜５０３ｄが形成されており絶縁壁４２８ａ〜４２８ｅが挿通される。これにより各切片間および各パット間の沿面距離が確保され、キセノン管４０８及びトリガーコイル４１０の陰極と陽極との絶縁性が保たれる。
【００４８】
以上により、発光部４２５がアップダウンする際のリード線４１１〜４１４のスペースを確保する必要がなくなり、リード線４１１〜４１４の被覆はがれや挟み込み等の発生も防止することができる。さらにストロボ発光部４２５のアップダウン動作時にリード線４１１〜４１４が追従しないことで性能が著しく低下するのを防ぎ、ストロボユニット４００の信頼性を向上させることができる。
【００４９】
以上、本発明の好ましい実施形態について説明したが、本発明はこれらの実施形態に限定されず、その要旨の範囲内で種々の変形及び変更が可能である。
【符号の説明】
【００５０】
１００  デジタルカメラ本体、２００  レンズ鏡筒、４００  ストロボユニット、
４０３  メインコンデンサ、４０８  キセノン管、４１０  トリガーコイル、
４１５〜４１８  切片、４２５  発光部、４２８ａ〜４２８ｄ  絶縁壁、
５００  ストロボ制御基板、５０１ａ〜５０１ｄ  摺動部、
５０２ａ〜５０２ｄ  パット、５０３ａ〜５０３ｄ  スリット、
５０４ａ〜５０４ｄ  絶縁層
【図１（ａ）】
2016206361.tif 000003
【図１（ｂ）】
2016206361.tif 000004
【図２（ａ）】
2016206361.tif 000005
【図２（ｂ）】
2016206361.tif 000006
【図３（ａ）】
2016206361.tif 000007
【図３（ｂ）】
2016206361.tif 000008
【図４】
2016206361.tif 000009
【図５】
2016206361.tif 000010
【図６（ａ）】
2016206361.tif 000011
【図６（ｂ）】
2016206361.tif 000012